(57)【特許請求の範囲】
【請求項１】
給紙台上に積載された用紙束から用紙を１枚ずつ送給する給紙部を複数有し、各給紙部より送給された用紙を搬送しながら互いに重ねてセットする丁合装置であって、下記（イ）〜（ニ）の各手段を具備することを特徴とする丁合装置。
（イ）作成する丁合部数をそれぞれ個別に設定可能な作業グループを複数設定できる作業グループ設定手段
（ロ）丁合動作を開始させるスタートスイッチ
（ハ）作業グループ毎に、ある給紙部を使用するか否かの使用不使用情報と、隣り合う複数の給紙部を１つの給紙部組とし、同一の給紙部組に属する給紙部のうち、いずれか１つから給紙を行い、給紙を行っている給紙部で用紙がなくなったとき、同一の給紙部組に属する別の給紙部に給紙動作を移行させる連段給紙部組情報と、積載されている用紙を全丁合セットに合流させる全数給紙部であるか、一部のセットにのみ合流させる間引き給紙部であるかの区分情報とのうち、少なくともいずれか１つを給紙部動作情報として設定及び記憶可能な給紙部動作情報設定記憶部を含み、前記使用不使用情報が前記給紙部動作情報としていずれかの作業グループに設定記憶されている場合には、前記スタートスイッチをオンすると、前記設定された作業グループのうちのいずれか１つの作業グループについて、前記給紙部動作情報として設定記憶された使用不使用情報に基いて丁合動作を開始させ、該作業グループに設定された丁合部数に達したら丁合動作を停止させ、再びスタートスイッチをオンにすると他の作業グループについて同様の丁合動作を再開するように制御し、
前記連段給紙部組情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された連段給紙部組情報に基いて丁合動作を開始させ、該作業グループに設定された丁合部数に達したら丁合動作を停止させ、再びスタートスイッチをオンにすると他の作業グループについて同様の丁合動作を再開させるように制御し、
前記区分情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された区分情報に基いて丁合動作を開始させ、該作業グループに設定された丁合部数に達したら丁合動作を停止させ、再びスタートスイッチをオンにすると、他の作業グループについて同様の丁合動作を再開させるように制御する制御部。
（ニ）各作業グループ毎に前記給紙部動作情報の設定を受け付けるとともに、設定した作業グループ全段分の給紙部動作情報を別の作業グループに複写設定することができ、さらに複写先の給紙部動作情報を修正することが可能な入力手段
【請求項２】
給紙台上に積載された用紙束から用紙を１枚ずつ送給する給紙部を複数有し、各給紙部より送給された用紙を搬送しながら互いに重ねてセットする丁合装置であって、下記（イ）〜（ニ）の各手段を具備することを特徴とする丁合装置。
（イ）作成する丁合部数をそれぞれ個別に設定可能な作業グループを複数設定できる作業グループ設定手段
（ロ）丁合動作を開始させるスタートスイッチ
（ハ）作業グループ毎に、ある給紙部を使用するか否かの使用不使用情報と、隣り合う複数の給紙部を１つの給紙部組とし、同一の給紙部組に属する給紙部のうち、いずれか１つから給紙を行い、給紙を行っている給紙部で用紙がなくなったとき、同一の給紙部組に属する別の給紙部に給紙動作を移行させる連段給紙部組情報と、積載されている用紙を全丁合セットに合流させる全数給紙部であるか、一部のセットにのみ合流させる間引き給紙部であるかの区分情報とのうち、少なくともいずれか１つを給紙部動作情報として設定及び記憶可能な給紙部動作情報設定記憶部を含み、前記使用不使用情報が前記給紙部動作情報としていずれかの作業グループに設定記憶されている場合には、前記スタートスイッチをオンすると、前記設定された作業グループのうちのいずれか１つの作業グループについて、前記給紙部動作情報として設定記憶された使用不使用情報に基いて丁合動作を開始させ、該作業グループに設定された丁合部数に達したら丁合動作を停止させ、再びスタートスイッチをオンにすると他の作業グループについて同様の丁合動作を再開するように制御し、
前記連段給紙部組情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された連段給紙部組情報に基いて丁合動作を開始させ、該作業グループに設定された丁合部数に達したら丁合動作を停止させ、再びスタートスイッチをオンにすると他の作業グループについて同様の丁合動作を再開させるように制御し、
前記区分情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された区分情報に基いて丁合動作を開始させ、該作業グループに設定された丁合部数に達したら丁合動作を停止させ、再びスタートスイッチをオンにすると、他の作業グループについて同様の丁合動作を再開させるように制御する制御部。
（ニ）各作業グループ毎に前記給紙部動作情報の設定を受け付ける他、複数グループの一括設定を行うことができ、さらに一括設定した作業グループの給紙部動作情報を作業グループごとに修正することが可能な入力手段。
【請求項３】
給紙台上に積載された用紙束から用紙を１枚ずつ送給する給紙部を複数有し、各給紙部より送給された用紙を搬送しながら互いに重ねてセットする丁合装置であって、下記（イ）〜（ニ）の各手段を具備することを特徴とする丁合装置。
（イ）作成する丁合部数をそれぞれ個別に設定可能な作業グループを複数設定できる作業グループ設定手段
（ロ）丁合動作を開始させるスタートスイッチ
（ハ）作業グループ毎に、ある給紙部を使用するか否かの使用不使用情報と、隣り合う複数の給紙部を１つの給紙部組とし、同一の給紙部組に属する給紙部のうち、いずれか１つから給紙を行い、給紙を行っている給紙部で用紙がなくなったとき、同一の給紙部組に属する別の給紙部に給紙動作を移行させる連段給紙部組情報と、積載されている用紙を全丁合セットに合流させる全数給紙部であるか、一部のセットにのみ合流させる間引き給紙部であるかの区分情報とのうち、少なくとも１つを給紙部動作情報として設定及び記憶可能であり、さらに各作業グループ毎に、給紙部動作情報が設定済みか、未設定であるかをも記憶可能な給紙部動作情報設定記憶部を含み、前記使用不使用情報が前記給紙部動作情報としていずれかの作業グループに設定記憶されている場合には、前記スタートスイッチをオンすると、前記設定された作業グループのうちのいずれか１つの作業グループについて、前記給紙部動作情報として設定記憶された使用不使用情報に基いて丁合動作を開始させ、該作業グループに設定された丁合部数に達したら丁合動作を停止させ、再びスタートスイッチをオンにすると他の作業グループについて同様の丁合動作を再開するように制御し、
前記連段給紙部組情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された連段給紙部組情報に基いて丁合動作を開始させ、該作業グループに設定された丁合部数に達したら丁合動作を停止させ、再びスタートスイッチをオンにすると他の作業グループについて同様の丁合動作を再開させるように制御し、
前記区分情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された区分情報に基いて丁合動作を開始させ、該作業グループに設定された丁合部数に達したら丁合動作を停止させ、再びスタートスイッチをオンにすると、他の作業グループについて同様の丁合動作を再開させるように制御するとともに、
給紙部動作情報が設定済みの作業グループの丁合作業が終了して一旦停止した後、未設定の作業グループの丁合作業を開始した場合、その作業グループの丁合作業は、その前に丁合作業を行った作業グループの給紙部動作情報がそのまま複写された給紙部動作情報によって行われるように制御する制御部。
（ニ）各作業グループ毎に前記給紙部動作情報の設定を受け付ける入力手段。
【請求項４】
前記区分情報が、間引き丁合を行わせる給紙部について間引き丁合セット数又は全丁合セット数に対する間引きセット数の割合をも含むことを特徴とする請求項１ないし３いずれかに記載の丁合装置。
【請求項５】
丁合装置外にある、給紙部動作情報の外部入力手段で入力され、該入力手段に付属する一時記憶メモリに記憶された給紙部動作情報を通信手段によって丁合装置内の給紙部動作情報記憶部へ転送するための受信接続器を具備することを特徴とする請求項１ないし４のいずれか１項に記載の丁合装置。
【請求項６】
請求項５記載の外部入力手段で給紙部動作情報を入力し、一時記憶させ、これを通信手段及び前記受信接続器を介して丁合装置内の給紙部動作情報設定記憶部へ転送記憶させるための外部入力手段用プログラム。
【請求項７】
請求項６記載の外部入力手段用のプログラムを記録した記録媒体。
【発明の詳細な説明】
【技術分野】
【０００１】
本発明は、例えば新聞折り込み広告の場合の配達地区に対応する作業グループ毎に丁合部数を設定する丁合装置において、作業グループによって丁合内容を変えたり、指定した用紙について間引き丁合を行ったり、丁合部数の多い場合には、同じ用紙を複数の給紙部に積載して１台目の用紙がなくなったら次の給紙部から給紙させるという連段給紙等を行ったりする丁合装置および丁合内容の表示に関する発明である。
【背景技術】
【０００２】
種類別に束になって納品される新聞広告を、複数設けられた給紙部に積載し、それぞれの給紙部から１枚ずつ取り出して搬送しながら重ね合わせ、各戸別の広告の束とする新聞広告丁合機が新聞販売店（ユーザ）で使われている。
新聞販売店では、担当する地域を複数の地区に分け、配布が必要な部数を地区ごとに分けて管理している場合、その地区ごとに丁合作業を分けて行うことがある。地区ごとに配布が必要な広告が異なる場合があるからである。
このため、複数の地区と、その地区ごとの部数（地区部数）を入力して記憶させ、その地区部数分の丁合が完了すると、一旦停止する丁合装置が公知である（例えば、特許文献１参照）。
【０００３】
例えばＡ地区に対し３００部、Ｂ地区に対し２００部の広告が必要な場合、ユーザは地区Ａ、Ｂと部数３００、２００を丁合機に入力して記憶させる。丁合機をスタートさせると、Ａ地区の丁合が開始され、処理部数をカウントして３００に達したら丁合機は停止する。ユーザは再びスタートボタンを押すと、Ｂ地区の丁合が開始され、処理部数をカウントして２００に達したら丁合機は停止する。ユーザは必要に応じ、地区の変わり目で丁合機が止まっている間に適宜不要な広告を給紙部から抜き取り、必要な広告を給紙部に積載する。
【０００４】
この地区ごとに、部数だけではなく配布する広告が異なることがある。前記特許文献１の装置では、特定の広告について、配布する地区を指定し、その地区の丁合開始前にその特定シートが積載されていなければ、警告を出すことによって、地区ごとの配布広告の相違に対応している。
【先行技術文献】
【特許文献】
【０００５】
【特許文献１】特開２００５−３３００９７号公報（請求項１２、段落［００１７］、［００２７］、［０１０２］〜［０１０９］、図２８、図２９）
【発明の概要】
【発明が解決しようとする課題】
【０００６】
しかしながら、前記先行技術には以下の（１）、（２）のような問題がある。
（１）  広告を特定し、その特定広告が必要な地区に丁合作業が至った時、その広告が積載されているか否かを警告表示し、確認操作を行わなければ（「セット確認ボタン」（図２９）を押さなければ）丁合が再開されない。即ち、特定広告を含む地区に入る場合は必ずこの作業が必要になり、わずらわしい。
（２）  「セット確認ボタン」は目視の確認を促しているだけで、確認ボタンを押せば、実際にその特定広告の積載を行わなくても、作業が開始できてしまい、ミスを完全に防ぐことができない。
【０００７】
本発明の解決課題は、上記先行技術の問題点に鑑みて、地区の変わり目で、特に積載広告を確認する必要がなく、かつミスを完全に防ぐことができる丁合装置の実現にある。
【課題を解決するための手段】
【０００８】
本発明は、上記の課題を解決するために、以下の各手段構成を有する。
本発明の第１の構成は、給紙台上に積載された用紙束から用紙を１枚ずつ送給する給紙部を複数有し、各給紙部より送給された用紙を搬送しながら互いに重ねてセットする丁合装置であって、下記（イ）〜（ニ）の各手段を具備することを特徴とする丁合装置である。
（イ）作成する丁合部数をそれぞれ個別に設定可能な作業グループを複数設定できる作業グループ設定手段
（ロ）丁合動作を開始させるスタートスイッチ
（ハ）作業グループ毎に、ある給紙部を使用するか否かの使用不使用情報と、隣り合う複数の給紙部を１つの給紙部組とし、同一の給紙部組に属する給紙部のうち、いずれか１つから給紙を行い、給紙を行っている給紙部で用紙がなくなったとき、同一の給紙部組に属する別の給紙部に給紙動作を移行させる連段給紙部組情報と、積載されている用紙を全丁合セットに合流させる全数給紙部であるか、一部のセットにのみ合流させる間引き給紙部であるかの区分情報とのうち、少なくともいずれか１つを給紙部動作情報として設定及び記憶可能な給紙部動作情報設定記憶部を含み、前記使用不使用情報が前記給紙部動作情報としていずれかの作業グループに設定記憶されている場合には、前記スタートスイッチをオンすると、前記設定された作業グループのうちのいずれか１つの作業グループについて、前記給紙部動作情報として設定記憶された使用不使用情報に基いて丁合動作を開始させ、該作業グループに設定された丁合部数に達したら丁合動作を停止させ、再びスタートスイッチをオンにすると他の作業グループについて同様の丁合動作を再開するように制御し、
前記連段給紙部組情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された連段給紙部組情報に基いて丁合動作を開始させ、該作業グループに設定された丁合部数に達したら丁合動作を停止させ、再びスタートスイッチをオンにすると他の作業グループについて同様の丁合動作を再開させるように制御し、
前記区分情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された区分情報に基いて丁合動作を開始させ、該作業グループに設定された丁合部数に達したら丁合動作を停止させ、再びスタートスイッチをオンにすると、他の作業グループについて同様の丁合動作を再開させるように制御する制御部。
（ニ）各作業グループ毎に前記給紙部動作情報の設定を受け付けるとともに、設定した作業グループ全段分の給紙部動作情報を別の作業グループに複写設定することができ、さらに複写先の給紙部動作情報を修正することが可能な入力手段
【０００９】
本発明の第２の構成は、給紙台上に積載された用紙束から用紙を１枚ずつ送給する給紙部を複数有し、各給紙部より送給された用紙を搬送しながら互いに重ねてセットする丁合装置であって、下記（イ）〜（ニ）の各手段を具備することを特徴とする丁合装置である。
（イ）作成する丁合部数をそれぞれ個別に設定可能な作業グループを複数設定できる作業グループ設定手段
（ロ）丁合動作を開始させるスタートスイッチ
（ハ）作業グループ毎に、ある給紙部を使用するか否かの使用不使用情報と、隣り合う複数の給紙部を１つの給紙部組とし、同一の給紙部組に属する給紙部のうち、いずれか１つから給紙を行い、給紙を行っている給紙部で用紙がなくなったとき、同一の給紙部組に属する別の給紙部に給紙動作を移行させる連段給紙部組情報と、積載されている用紙を全丁合セットに合流させる全数給紙部であるか、一部のセットにのみ合流させる間引き給紙部であるかの区分情報とのうち、少なくともいずれか１つを給紙部動作情報として設定及び記憶可能な給紙部動作情報設定記憶部を含み、前記使用不使用情報が前記給紙部動作情報としていずれかの作業グループに設定記憶されている場合には、前記スタートスイッチをオンすると、前記設定された作業グループのうちのいずれか１つの作業グループについて、前記給紙部動作情報として設定記憶された使用不使用情報に基いて丁合動作を開始させ、該作業グループに設定された丁合部数に達したら丁合動作を停止させ、再びスタートスイッチをオンにすると他の作業グループについて同様の丁合動作を再開するように制御し、
前記連段給紙部組情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された連段給紙部組情報に基いて丁合動作を開始させ、該作業グループに設定された丁合部数に達したら丁合動作を停止させ、再びスタートスイッチをオンにすると他の作業グループについて同様の丁合動作を再開させるように制御し、
前記区分情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された区分情報に基いて丁合動作を開始させ、該作業グループに設定された丁合部数に達したら丁合動作を停止させ、再びスタートスイッチをオンにすると、他の作業グループについて同様の丁合動作を再開させるように制御する制御部。
（ニ）各作業グループ毎に前記給紙部動作情報の設定を受け付ける他、複数グループの一括設定を行うことができ、さらに一括設定した作業グループの給紙部動作情報を作業グループごとに修正することが可能な入力手段。
【００１０】
本発明の第３の構成は、給紙台上に積載された用紙束から用紙を１枚ずつ送給する給紙部を複数有し、各給紙部より送給された用紙を搬送しながら互いに重ねてセットする丁合装置であって、下記（イ）〜（ニ）の各手段を具備することを特徴とする丁合装置である。
（イ）作成する丁合部数をそれぞれ個別に設定可能な作業グループを複数設定できる作業グループ設定手段
（ロ）丁合動作を開始させるスタートスイッチ
（ハ）作業グループ毎に、ある給紙部を使用するか否かの使用不使用情報と、隣り合う複数の給紙部を１つの給紙部組とし、同一の給紙部組に属する給紙部のうち、いずれか１つから給紙を行い、給紙を行っている給紙部で用紙がなくなったとき、同一の給紙部組に属する別の給紙部に給紙動作を移行させる連段給紙部組情報と、積載されている用紙を全丁合セットに合流させる全数給紙部であるか、一部のセットにのみ合流させる間引き給紙部であるかの区分情報とのうち、少なくとも１つを給紙部動作情報として設定及び記憶可能であり、さらに各作業グループ毎に、給紙部動作情報が設定済みか、未設定であるかをも記憶可能な給紙部動作情報設定記憶部を含み、前記使用不使用情報が前記給紙部動作情報としていずれかの作業グループに設定記憶されている場合には、前記スタートスイッチをオンすると、前記設定された作業グループのうちのいずれか１つの作業グループについて、前記給紙部動作情報として設定記憶された使用不使用情報に基いて丁合動作を開始させ、該作業グループに設定された丁合部数に達したら丁合動作を停止させ、再びスタートスイッチをオンにすると他の作業グループについて同様の丁合動作を再開するように制御し、
前記連段給紙部組情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された連段給紙部組情報に基いて丁合動作を開始させ、該作業グループに設定された丁合部数に達したら丁合動作を停止させ、再びスタートスイッチをオンにすると他の作業グループについて同様の丁合動作を再開させるように制御し、
前記区分情報が前記給紙部動作情報としていずれかの作業グループに設定記憶されている場合には、前記スタートスイッチをオンにすると、前記設定された作業グループのうちのいずれか１つの作業グループについて、前記給紙部動作情報として設定記憶された区分情報に基いて丁合動作を開始させ、該作業グループに設定された丁合部数に達したら丁合動作を停止させ、再びスタートスイッチをオンにすると、他の作業グループについて同様の丁合動作を再開させるように制御するとともに、
給紙部動作情報が設定済みの作業グループの丁合作業が終了して一旦停止した後、未設定の作業グループの丁合作業を開始した場合、その作業グループの丁合作業は、その前に丁合作業を行った作業グループの給紙部動作情報がそのまま複写された給紙部動作情報によって行われるように制御する制御部。
（ニ）各作業グループ毎に前記給紙部動作情報の設定を受け付ける入力手段。
【００１１】
本発明の第４の構成は、前記第１乃至３いずれか１つの構成において、前記給紙部動作情報が、間引き丁合を行わせる給紙部について間引き丁合セット数又は全丁合セット数に対する間引きセット数の割合をも含むことを特徴とする丁合装置である。
【００１６】
本発明の第５の構成は、前記第１ないし第４の構成のいずれか１つの構成において、丁合装置外にある、給紙部動作情報の外部入力手段で入力され、該入力手段に付属する一時記憶メモリに記憶された給紙部動作情報を通信手段によって丁合装置内の給紙部動作情報記憶部へ転送するための受信接続器を具備することを特徴とする丁合装置である。
【００１７】
本発明の第６の構成は、前記第５の構成の前記外部入力手段で給紙部動作情報を入力し、一時記憶させ、これを通信手段及び前記受信接続器を介して丁合装置内の給紙部動作情報設定記憶部へ転送記憶させるための外部入力手段用プログラムである。
【００１８】
本発明の第７の構成は、前記第６の構成の外部入力手段用のプログラムを記録した記録媒体である。
【発明の効果】
【００１９】
本発明の第１乃至第３の構成では、丁合動作を制御する制御部内に、作業グループ毎にある給紙部から給紙されるか否か、即ちある給紙部を使用するか否かの使用不使用情報を給紙部動作情報として設定及び記憶可能な給紙部動作情報設定記憶部を含んでいるので、最初にすべての広告を積載し、その広告を給紙するか否かを地区ごとに設定しておけば、地区の変わり目で積載広告を確認する必要がない。また、万一広告の積載を忘れた場合、その広告が必要な地区の丁合開始時に当該給紙部において紙無しエラーが表示されるので、丁合エラーを防ぐことができると言う効果がある。
【００２０】
本発明の第１乃至第３の構成ではさらに、丁合動作を制御する制御部内に、隣り合う複数の給紙部を１つの給紙部組とし、同一の給紙部組に属する給紙部のうち、いずれか１つから給紙を行い、該給紙部で用紙がなくなったとき、同一の給紙部組に属する他の給紙部に給紙動作を移行させる連段給紙部組情報を給紙部動作情報として設定及び記憶可能な給紙部動作情報設定記憶部を含んでいるので、例えば、１つの給紙部に収まらない分厚い広告を、特定の地区にのみ配布したい場合、２つ以上の給紙部を順次切替使用することができるなどの使い方を、地区ごとに設定することができるという効果がある。
【００２１】
本発明の第１乃至第３の構成ではさらに、丁合動作を制御する制御部内に、作業グループ毎に、積載されている用紙を全丁合セットに合流させる全数給紙部であるか一部のセットにのみ合流させる間引き給紙部であるかの区分情報を給紙部動作情報として設定及び記憶可能な給紙部動作情報設定記憶部を含んでおり、また、第４の構成では、間引きをするセット数或いは割合を定めることができるので、経費節減などの理由により用意した或る広告チラシの枚数が配布地区の全戸数分に満たない場合であっても、地区内で場所的に片寄らないように配布することができるという効果がある。
【００２３】
本発明の第１の構成ではさらに、或る作業グループについて設定した全段分の給紙部動作情報を別の作業グループに複写設定が可能であるので、既に、ある地区で設定した給紙部動作情報の内容を、別の地区に複写設定することができる。従って、給紙部動作情報設定が互いに似ている地区同士では、一方の地区の設定内容を他方の地区に複写して、相違点だけを修正することにより、給紙部動作情報のすべてをいちいち地区毎に設定する手間を省くことができるという効果がある。
【００２４】
本発明の第２の構成ではさらに、給紙部動作情報の設定を受け付ける入力手段が、複数地区の一括設定を行うことができるので、各々の地区において相違点だけを設定すればよいことになり、設定の手間をより省くことができるという効果がある。
【００２５】
本発明の第３の構成ではさらに、給紙部動作情報が未設定の作業グループの丁合は、その前に丁合を行った作業グループの給紙部動作がそのまま複写された給紙部動作情報によって行われるので、同一の給紙部動作情報で丁合する地区が複数ある場合、そのうち最初に丁合される地区のみ給紙部動作情報を設定し、その後続いて丁合される地区の設定を省略することができるので、設定の手間をより省くことができるという効果がある。
【００２６】
本発明の第５の構成では、丁合装置の給紙部動作情報設定記憶部への給紙部動作情報の入力を外部入力手段から行えるので、入力を丁合装置から離れた所から行うことができるという効果がある。
【図面の簡単な説明】
【００２７】
【図１】本発明を適用した丁合装置の実施例の外観図である。
【図２】本発明を適用した丁合装置の構成を示すブロック図である。
【図３】地区番号、その地区の部数の設定と表示、丁合の地区順番の設定と表示、その地区の給紙部動作情報が設定されているか否かを表示する画面の図である。
【図４】１つの地区についての、各給紙部動作情報の設定表示画面である。
【図５】間引き表示が分数表示された表示画面の図である。
【図６】給紙部動作情報の、複数地区一括設定を行う場合の表示画面である。
【図７】各地区の給紙部動作情報のうち「連」、「単」、「停」および間引き率の一覧表示である。
【図８】外部機器から給紙部動作情報の設定を行う実施例の図である。
【発明を実施するための形態】
【００２８】
本発明は、丁合装置を動作させるに当り、丁合束を新聞に挟んで配達する地区に対応する作業グループを設定し、その作業グループ毎の丁合部数、丁合の内容（用紙の組み合わせ）、同じ用紙束を複数段の給紙部に載置する連段使用、用紙の枚数が丁合部数より少ない場合の間引き給紙、および作業グループを、どのような順序で丁合動作を行わせるかについて給紙部の動作を制御することにより丁合動作を行うものであり、その実施の形態は、給紙部の使用不使用、連段給紙部組、間引き給紙、部数、順序について、設定手段を設け、この設定内容を各作業グループ毎に設けられたメモリに記憶させ、丁合動作時には各作業グループのメモリから、設定された順序に従って読み出し、そのメモリ内容に基いて給紙部の動作を制御するというものである。
【００２９】
その他、設定に当っては全作業グループについて一括設定したり、或る作業グループについて設定したものを他の作業グループのメモリに複写設定したり、丁合動作時に或る作業グループについて丁合動作が終了して、次の作業グループ丁合動作に入ろうとするときに、その作業グループのメモリが未設定であるときは、その直前に丁合作業を行った作業グループのメモリを複写して丁合を行うなどの工夫が行われている。これら様々な形態における給紙部の設定内容は、丁合装置に設けられた表示手段に表示されるようになっている。
【実施例】
【００３０】
以下、本発明の実施例について図面を参照して説明する。
図１は、本発明を適用した丁合装置の実施例の外観図である。丁合装置１には２０台の給紙部２−１〜２−２０が左右１０段ずつ配置されており、各給紙部に積載された用紙束から１枚ずつ給紙される。左右向い合った給紙部からは同時に給紙され、合わさって中央部分を下へ向って搬送されるようになっている。
【００３１】
給紙の開始は、重ねられた用紙の下方先端が揃うように下方の給紙部が遅くなるようになっている。給紙部全段に用紙束が積載されており、全段給紙であれば１セット２０枚の丁合束となる。作業グループによって入れない用紙がある場合には、その用紙の積載されている給紙部を動作させない不使用にする。これが給紙部の使用不使用である。
１セットに束ねる用紙の種類は少ないがセット部数が多いときは、同じ用紙束を上下連なる２段或いは３段の給紙部に積載し、最初に給紙していた給紙部が空になったら次の給紙部から給紙させるようにする。これが連段給紙部組である。
また、或る給紙部に積載されている用紙束の枚数が求められている丁合セット部数より少ないときは、給紙を平均的に間引きする。例えば、５回に１回は給紙しないようにするということである。これが間引き給紙である。
このような給紙部の動作の設定やその内容の表示は丁合装置１に設けられている操作・表示画面で行われる。
【００３２】
図２は、丁合装置に以上のような動作を行わせるための手段の構成を示したブロック図である。
以下、設定と動作に分けて説明する。
まず設定の方は、給紙部使用不使用設定手段１６、連段給紙部組設定手段１７、間引き給紙設定手段１８、１つの作業グループに対して、丁合セット部数をいくらにするかの部数設定手段１９、最後に複数ある作業グループをどのような順序で丁合させるか、即ち、或る作業グループは何番目かを設定する順序設定手段２０である。
【００３３】
以上の各設定手段による設定を作業グループ指定器１３によって指定した作業グループのメモリ部（作業グループＡなら第１メモリ部１２−１、作業グループＢなら第２メモリ部１２−２）の対応するメモリ領域へ記憶させて行く。
この場合、全作業グループについてどこか相違する部分があるというときには、作業グループ毎にメモリ部を指定して設定することになるが、時には、全作業グループ中で何グループかが同じ内容であるという場合もある。そのようなときには、その中のどれか１つの作業グループのメモリには各設定手段から設定し、あとの作業グループのメモリへは複写設定器１４を操作して複写することができるようになっている。これにより手間が省けるという利点がある。
また、全く同じでなく一部だけが異なる場合には、複写した後、異なる部分だけ修正すればよいので、やはり手間が省けることになる。
【００３４】
更に、全作業グループが同一の内容であるというときには、一括設定器１５によって、順序設定手段２０を除く各設定手段からの設定が全作業グループのメモリ部に記憶されるようにすることができる。
また、全く同じでなくとも一括設定の後、一部修正する場合でも前述のように手間が省けることは同様である。
【００３５】
以上の設定が終って、丁合動作をスタートさせる場合について述べる。
スタートスイッチ１１をオンにするとスタート信号が丁合装置駆動器９、作業グループ選択器１０および部数カウンタ７に送られる。
丁合装置駆動器９にスタート信号が送られると、電源がメインモータその他の各部へ供給され、丁合動作が開始される。スタート信号を受けた作業グループ選択器１０は、各作業グループのメモリ部１２−１〜１２−ｎの順序記憶部から送られて来ている順序信号に指示された作業グループのメモリ部の順序記憶部以外の各記憶部から給紙部の動作に関する使用不使用情報、連段給紙部組情報、間引き給紙情報及び部数情報を取り出し、使用不使用情報、連段給紙部組情報及び間引き情報は給紙部セレクタ６へ送り、部数情報は比較器８へ送る。給紙部セレクタ６は、給紙部２−１〜２−２０の各々へ各給紙部の動作情報を送り、該情報に応じた動作をさせるようにする。
【００３６】
部数カウンタ７はスタート信号を受けると丁合済みの部数のカウントを始め、その部数情報を比較器８へ送る。比較器８には前述のように、作業グループのメモリ部からの部数情報が入力されており、両部数情報を比較し、部数カウンタ７からの部数がメモリからの部数に達したときに停止信号を出力し、これを丁合装置駆動器９へ送る。停止信号を受けた丁合装置駆動器９は丁合動作を停止させる。即ち、丁合中の作業グループについては、丁合セットが予め設定した設定部数に達したら自動的に丁合動作を停止するということである。
停止後、再びスタートスイッチ１１をオンにすると、スタート信号を受けた作業グループ選択器１０は入力されている順序信号に従って次の作業グループのメモリ部の各情報を取り出し、以後は前述の動作を繰り返すことになる。
【００３７】
図３は、地区番号、その地区の部数の設定と表示、丁合の順番設定と表示、その地区の給紙部動作情報が設定されているか否かの表示をする画面である。
左から縦１列目の番号は作業グループに対応する地区の番号が表示されている。２列目は各地区の設定部数欄である。設定方法は設定したい窓をタッチしてテンキーで数字を入力し「セット」を押すと完了する。３列目の順番の欄は、各地区の丁合を行う順番の設定及び表示である。設定の仕方は部数の場合と同じである。４列目の棚設定の欄は、その地区の丁合についての給紙部動作情報が図２の作業グループのメモリ部に設定されているか否かの表示欄である。タッチして色が変わると設定されていることを示す。
【００３８】
図４は、１つの地区についての、各給紙部動作情報の設定、表示画面である。
地区は左上に表示され、左右の三角マークを押すことにより地区を切り替えることができる。図４では、１地区となっている。
図中１〜１１、１２〜２２の数字は左右に１１段ずつ重なっている給紙部の棚番号を示している。その左右に「連」、「単」、「停」とあるが、「連」は１種類の用紙を「連」と表示された給紙部（「連の親」）とその下の文字のない２段又は３段の給紙部（「連の子」）に積載し、上の段から給紙をし、なくなったら次の段から給紙することを示している。「単」は１種類の用紙はその段の給紙部のみであることを示し、「停」はその段の給紙部は不使用であることを示している。
【００３９】
その設定は次のようにして行われる。
（イ）「単」棚をタッチした場合：
タッチした棚が最上段の場合、または一つ上の棚が「停」棚の場合は、タッチした棚が「停」棚となる。
一つ上の棚が「単」棚の場合は、タッチした棚が「連の子」棚となり、一つ上の棚は「連の親」棚となる。
一つ上の棚が「連の子」棚の場合は、タッチした棚が「連の子」棚となる。なお「単」棚の一つ上の棚が「連の親」になっている状況はない。
（ロ）「連の親」棚をタッチした場合：
タッチした棚、及び下に続く全ての「連の子」棚が「停」棚となる。
（ハ）「連の子」棚をタッチした場合：
タッチした棚、及び下に続く全ての「連の子」棚が「停」棚となる。また、一つ上の棚が「連の親」棚であった場合は、一つ上の棚は「単」棚となる。
（ニ）「停」棚をタッチした場合：
タッチした棚が「単」棚となる。
【００４０】
間引き設定は、間引き設定部２１で行われる。この部分の数字は、今、数字の入っている窓をタッチして、テンキーで数字を入れ「セット」を押すことにより設定される。
図では、１２、１０００、６００が設定されているが、このうち１地区の１０００は図３のように既に設定されているので、そこからの引用となっている。
【００４１】
以上の設定の結果、１２段目の給紙部、１地区の場合、１０００部丁合するうちの６００部に均等に給紙するよう設定されたことになる。
そして、給紙部１２段目は、１３段、１４段と連段になっているので、この連段３段の右側に各々６００の数字を表示して、間引き給紙であることを表示している。６００の数字は３段ともに表示されているが、３段合わせて６００部ということである。同様に、８段目の給紙部は単独給紙で、且つ３００部の間引きであることが表示されている。
即ち、１０００部中の３００部に平均的に間引き給紙するということである。数字が表示されていない給紙部は間引き給紙を行わない。
【００４２】
図４では、間引き給紙は部数で表示されているが、間引き設定部２１の「切替」をタッチすると、画面が図５のように切り替わり、間引き部数が分数表示される。この設定は、図５の間引き設定部２２の数字３つの窓をタッチし、テンキーで数字を入れ「セット」すると設定され、１２段目の給紙部および連段の１３段、１４段に２／５が表示される。図４の６００とは別設定で、一致していない。８段目の給紙部の場合は設定が変わっていないので、図４の３００部に対応する３／１０となっている。なお、この分数表示と部数表示は、給紙部ごとに切り替えられるようになっていてもよい。
【００４３】
図６は、一括設定を行う場合の表示画面である。
図中の地区選択の欄で一括設定したい地区番号をタッチすると色が変わり、指定されたことが分かる。図６では２重枠がこのことを示している。その後の設定、表示は既に述べたところと同じである。間引き設定部の「切替」窓をタッチすると分数表示が図４のような部数表示に変わる。
【００４４】
図７は、各地区の給紙部動作情報のうち、「連」、「単」、「停」および間引き率の一覧表示である。このページでは「Ｌ側」がタッチされ、給紙部の１段目から１１段目（左側）までであるが、「Ｒ側」をタッチすると１２段から２２段の情報が表示される。地区が多くて１ページに入り切っていない場合は、残りの地区についてはページを切り替えることになる。
【００４５】
図８は、本発明の第５の構成の実施例を示す図である。
パソコン２３は丁合装置とは異なる外部機器であり、入力手段と一時記憶メモリを供えているので、丁合装置内の図２に示す各種設定手段に代えて、パソコンのキーボードから入力し、これを一時記憶し、これをＵＳＢケーブル２４で丁合装置の接続器或いは、受信機に接続し、丁合装置内の各作業グループのメモリ部へ記憶させるようにすることにより、丁合装置から離れた所から給紙部動作情報の設定を行うことができる。
【符号の説明】
【００４６】
１  丁合装置
２−１〜２−２０  給紙部
３  操作・表示画面パネル
４  スタッカトレイ
５  メインモータ
６  給紙部セレクタ
７  部数カウンタ
８  比較器
９  丁合装置駆動器
１０  作業グループ選択器
１１  スタートスイッチ
１２−１  第１メモリ部
１２−２  第２メモリ部
１２−ｎ  第ｎメモリ部
１３  作業グループ指定器
１４  複写設定器
１５  一括設定器
１６  給紙部使用不使用設定手段
１７  連段給紙部組設定手段
１８  間引き給紙設定手段
１９  部数設定手段
２０  順序設定手段
２１  間引き設定部
２２  間引き設定部
２３  パソコン
２４  ＵＳＢケーブル
【図１】
0005493819.tif 000002
【図２】
0005493819.tif 000003
【図３】
0005493819.tif 000004
【図４】
0005493819.tif 000005
【図５】
0005493819.tif 000006
【図６】
0005493819.tif 000007
【図７】
0005493819.tif 000008
【図８】
0005493819.tif 000009